(57)【要約】【課題】  簡易な構成で、虫や小動物の侵入、雨水の浸入を防止しつつ、効果的に納骨室の換気を行う。【解決手段】  芝台２に配した換気路３と異物侵入防止具４とで構成し、換気路３は、その両端に側部開口部５、５を、両端部以外には下面に開口する下面開口部６を備える。換気路３は、芝台２の前部にその幅方向に延長するトンネル状長尺空間に形成する。側部開口部５、５は、芝台２の両側に開口する換気路３の両端に開口し、その径は換気路３より大径にする。下面開口部６は、換気路３の両端部以外で下面に溝状に開口させる。異物侵入防止具４は、円筒状の防止具本体と、その周側外周のバネ材と、最前部の遮蔽板に形成した通気口と、遮蔽板の周囲から張り出した鍔部と、遮蔽板の背後に配した網材とで構成したものであり、換気路３の両端及び側部開口部５、５に装着する。【選択図】  図１
0003120507.tif 000002
【実用新案登録請求の範囲】
【請求項１】
納骨室の上部を閉じる芝台内に、その幅方向に延びる換気路を形成し、該換気路の両端に各々該芝台の両側部に開口する側部開口部を構成し、更に該換気路の両端部を除いて下面に溝状に開口する下面開口部を構成し、加えて該両側の側部開口部に換気を許容しつつ雨水及び異物の侵入を防止する異物侵入防止具を装着してなる墓の換気構造。
【考案の詳細な説明】
【技術分野】
【０００１】
本考案は墓所の納骨室内の換気を図るための墓の換気構造に関するものである。
【背景技術】
【０００２】
墓所は、基本的に、墓碑、その下方に位置する納骨室及び周囲を区画する外柵で構成されている。上記納骨室は、遺骨を納める空間であり、その構成は、地方によって異なる納棺の仕方に関係して若干異なっている。例えば、焼骨を土に還す形を取る地域の場合と、骨壺のまま納棺する地域の場合等である。特に骨壺として大型のそれを用いる地域では納骨室は若干大きな容積を必要とすることになる。
【０００３】
いずれにしても納骨室は墓碑の下方の閉じられた空間であり、墓所の設置される場所とも関係するが、内部に湿気がこもりやすく、それ故、結露を生じることもあり、骨壺等の保存状態が劣悪になりがちであるという問題がある。
【０００４】
このような問題に対処するいくつかの提案があり、その一つに墓石納骨室の換気装置（特許文献１）がある。
これは、納骨室を囲む納骨周壁の最上部にＵ字形の換気用口を設け、該換気用口にその口を逆水止めに於いて通気可能に封じる、開閉自在な扉石、防虫・防ゴミ用の網、外部側に複数の横溝を形成し、内部側に該横溝と連通する複数の縦溝を形成した通気ブロックからなる換気装置を組み込んだ墓石納骨室の換気装置である。
【０００５】
この墓石納骨室の換気装置によれば、防虫・防ゴミが確保できる点では、優れたものであるが、外部に開く開口部が一つしかないので、その換気効果には疑問がある。また換気装置を納骨室を囲む納骨周壁に換気用口を設けておき、それに組み込むものであるため、その設置が必ずしも簡易ではないという問題点がある。更には換気装置も簡易とは言い難い問題がある。
【０００６】
更に他に提案されたものとして、墓石の下部構造（特許文献２）がある。
これは、下枠と、該下枠上に設置する芝台と、該芝台上に設置する搬入口付きの大台と、該大台の下方に於いて、前記下枠内に配設する仕切枠とを備えてなり、前記芝台、大台の内部には、前記仕切枠内の土の表面を骨壺の置き場所とする共通の納骨室を形成し、前記下枠、大台には、それぞれ前記納骨室に連通する下部の通気孔、上部の通気孔を形成した墓石の下部構造である。
【０００７】
この墓石の下部構造によれば、通気孔を適切な複数位置に配することにより、納骨室内部の換気を良好に図りうるものと思われるが、全体に構成要素が多く、芝台及び大台に対する加工も大がかりであって、簡易な構成とは言い難い。更にこの構成では、通気孔に目皿を付設することがある旨の説明があるが、その構成から見て防虫効果は期待できそうもないし、雨水の浸入に対しても不十分であるように思われる。
【０００８】
【特許文献１】特開２００２−８１２２６号公報
【特許文献２】特開２００３−２５３９１３号公報
【考案の開示】
【考案が解決しようとする課題】
【０００９】
本考案は、以上の従来技術に於ける問題点を解決し、簡易な構成で、虫や小動物の侵入、更には雨水の浸入を防止しつつ、効果的に納骨室の換気を行うことができる墓の換気構造を提供することを解決の課題とするものである。
【課題を解決するための手段】
【００１０】
本考案は、納骨室の上部を閉じる芝台内に、その幅方向に延びる換気路を形成し、該換気路の両端に各々該芝台の両側部に開口する側部開口部を構成し、更に該換気路の両端部を除いて下面に溝状に開口する下面開口部を構成し、加えて該両側の側部開口部に換気を許容しつつ雨水及び異物の侵入を防止する異物侵入防止具を装着してなる墓の換気構造である。
【考案の効果】
【００１１】
従って本考案の墓の換気構造によれば、芝台の幅方向に、両側部に開く側部開口部及び下面に開口する下面開口部を備えた換気路を構成し、かつ側部開口部に異物侵入防止具を配しただけの簡易な構成で、納骨室の良好な換気を確保することができる。それ故、内部の結露を防止し、骨壺等の良好な保管状態を確保することができる。また該異物侵入防止具の作用により、雨水や害虫類の浸入を防止することもできる。
【考案を実施するための最良の形態】
【００１２】
以下、本考案を実施するための最良の形態を、図面を参照しながら、実施例に基づいて説明する。
【００１３】
この実施例の墓の換気構造は、図１に示すように、基本的に、納骨室１の上部を閉じる芝台２に構成した換気路３と異物侵入防止具４とで構成したものであり、該換気路３は、その両端に側部開口部５、５を備え、両端部以外では下面に開口する下面開口部６を備えたものである。
【００１４】
前記納骨室１は、図１に示すように、この実施例では、地下を掘り下げ、周囲をコンクリートで閉じた一般的な構成のものである。上部は前記芝台２と図示しない拝石とによって被覆されている。拝石は手前側、芝台２は奥側を被覆するのは云うまでもない。
【００１５】
前記芝台２は、図１に示すように、納骨室１の後側をこれで閉じると共に、中台、上台及び棹石等で構成される石碑７をその上に配する板状の石材であり、この実施例では、他の多くの場合と同様に、御影石（花崗岩）を用いて構成したものである。
【００１６】
前記換気路３は、図１〜図５に示すように、前記芝台２の前部に、その幅方向、即ち、横方向に延長する断面円形のトンネル状長尺空間に形成し、その両端には、前記のように、該芝台２の両側に開口する側部開口部５、５を形成する。この側部開口部５、５は、最外端で該換気路３より径の拡大した大径開口部に構成したものである。また該換気路３の両端部以外の部分には、下面に溝状に開口する下面開口部６を形成する。この下面開口部６は、この実施例では、該換気路３の直径の幅で下方に向けて開口したものである。なおこの実施例では、該換気路３は、前記芝台２の前部に構成したが、後部でも中間部でも或いはその他の部位でも不都合はない。
【００１７】
また前記異物侵入防止具４は、特に図７(a)、(b)及び図８に示すように、円筒状の防止具本体４ａと、その周側外周に９０度の角度間隔で配した四個のバネ材４ｂ、４ｂ…と、最前部の遮蔽板４ｃに形成したルーバー状の通気口４ｄと、遮蔽板４ｃの周囲から張り出した鍔部４ｅと、遮蔽板４ｃの背後に配した網材４ｆとで構成したものである。
【００１８】
前記ルーバー状の通気口４ｄは、金属板材である遮蔽板４ｃに横向き複数条の切り込みを形成し、それぞれの切り込みの両端に更に連続する斜め上向の切り込みを入れ、それぞれの切り込みの直上の部位を上方に起こし、特に図７(a)、(b)に示すように、それぞれの部位に斜め下向きの開口部を形成したものである。該通気口４ｄは、ルーバー状ではあるが、固定タイプであり、開閉自在ではない。
【００１９】
前記バネ材４ｂ、４ｂ…は、それぞれ後端を前記防止具本体４ａの外周に固定し、それより前方の部位を該防止具本体４ａの前方に向けかつ外方に若干浮かせた状態に配した板バネ状部材である。また前記鍔部４ｅは、外周に向かって徐々に前記防止具本体４ａ側に屈曲するように構成したものである。更に又前記網材４ｆは、防虫用・防ゴミ用の網であり、それに適する目開きのものを採用した。
【００２０】
なお以上の異物侵入防止具４は、全体として金属で構成し、前面は防錆塗装を施し、他の部位は防錆用のメッキを施してあるものである。
【００２１】
以上の異物侵入防止具４は、図１及び図６に示すように、前記換気路３の両端の部位及び側部開口部５、５に装着する。これは、同図に示すように、その防止具本体４ａを、該換気路３の両端部に挿入すると、その周側外周部に配してあるバネ材４ｂ、４ｂ…の作用によりその挿入状態が固定されることになる。同図に示すように、防止具本体４ａを、前記鍔部４ｅの最外周部の背後側が前記側部開口部５の段差面に接触するまで挿入すると、該異物侵入防止具４は最適状態で固定されることになる。
【００２２】
芝台２に、以上のように、下面開口部６及び側部開口部５、５を備えた換気路３を形成し、その両端にそれぞれ異物侵入防止具４を装着した後、所定の墓所の納骨室１の上部に図１に示すように、該芝台２を設置すれば、実施例の墓の換気構造は完成である。
【００２３】
従ってこの実施例の墓の換気構造によれば、以上のような極めて簡易な構成で、しかも簡単な作業で墓の換気構造の作成を完了させ、納骨室１の良好な換気を確保することができる。それ故、内部の結露を防止し、骨壺等の良好な保管状態を確保することができる。また該異物侵入防止具４の作用により、雨水や害虫類の浸入を防止することもできる。
【００２４】
大気は、側部開口部５、前記異物侵入防止具４の通気口４ｄ、換気路３、そして下面開口部６を通じて納骨室１と外部との間を行き来する。換気路３の外部への開口部が芝台２の両側部に位置する側部開口部５、５で開かれているため、風向きや、気圧など種々の条件に応じて、いずれか一方から入り、他方から出る等の大気のスムーズな動きが生じる。従って良好に納骨室１の換気を行うことができ、前記のように、内部の結露の発生等を回避し、骨壺等の良好な保管状態を確保することができる。
【図面の簡単な説明】
【００２５】
【図１】芝台の配された納骨室上部の断面図。
【図２】芝台の平面図。
【図３】芝台の底面図。
【図４】芝台の拡大右側面図。
【図５】図２のＡ−Ａ線拡大断面図。
【図６】異物侵入防止具を装着した換気路端部付近の拡大断面図。
【図７】(a)は異物侵入防止具の側面図、(b)は異物侵入防止具の断面側面図。
【図８】異物侵入防止具の正面図。
【符号の説明】
【００２６】
１    納骨室
２    芝台
３    換気路
４    異物侵入防止具
４ａ  防止具本体
４ｂ  バネ材
４ｃ  遮蔽板
４ｄ  通気口
４ｅ  鍔部
４ｆ  網材
５    側部開口部
６    下面開口部
７    石碑
【図１】
0003120507.tif 000003
【図２】
0003120507.tif 000004
【図３】
0003120507.tif 000005
【図４】
0003120507.tif 000006
【図５】
0003120507.tif 000007
【図６】
0003120507.tif 000008
【図７】
0003120507.tif 000009
【図８】
0003120507.tif 000010